(57)【要約】      （修正有）【課題】フロントタイプセレクタにおいて、メダルの連続投入を容易にしたメダルセレクタ用のメダル投入補助具及びそれらを用いたメダルゲーム機を提供する。【解決手段】メダル投入補助具３０は、縦長の開口部３８を有する固定用プレート３２とガイド部４０により構成され、開口部３８とメダルセレクタ１０のメダル投入口１６の位置を合わせてフロントパネル１４に固定される。メダル待機部５０は、開口部３８の長辺３８Ａに沿う垂直面部４２と、開口部３８の下側の短辺３８Ｄに沿う第１面部５２と、第１面部側が高くなるように傾斜した第２面部５４を有する。第１面部５２と第２面部５４は開口部３８側が低くなるように傾斜している。メダル待機部５０に複数のメダルを乗せ、垂直面部４２へ指で押し当て１枚目のメダルを第１面部５２上に移動させた後に指を離すと、２枚目以降のメダルが第２面部５４の傾斜で倒れ、１枚目のメダルとの摩擦が減り、第１面部５２上のメダルが開口部３８へ流れる。【選択図】図１
0003191182.tif 000002
【実用新案登録請求の範囲】
【請求項１】
メダルを投入するための略長方形状のメダル投入口が、正面に縦長に設けられたメダルセレクタ用のメダル投入補助具であって、
前記メダル投入口の長辺の一方に沿って設けられており、前記正面に対して略直交するとともに、前記メダルの主面を押し付け可能な面積を有する垂直面部と、
前記メダル投入口の短辺と略同一の幅を有しており、前記メダル投入口の下側の短辺に沿うように、前記垂直面部の下端に連続して形成された第１面部と、
複数のメダルを受けられる幅を有しており、前記第１面部を挟んで前記垂直面部と反対側となるように、該第１面部に連続して形成され、かつ、該第１面部側が高くなる傾斜を有する第２面部と、
を備えており、
前記第１面部及び第２面部が、前記メダル投入口側が低くなる傾斜を有することを特徴とするメダルセレクタ用のメダル投入補助具。
【請求項２】
メダルを投入するための略長方形状のメダル投入口が、正面に縦長に設けられたメダルセレクタ用のメダル投入補助具であって、
前記メダル投入口と略同一形状及び寸法の略長方形状の開口部を有しており、該開口部が前記メダル投入口の位置と一致するように、前記メダルセレクタの正面に沿って固定される固定用プレートと、
前記開口部の長辺の一方に沿って設けられており、前記固定用プレートに対して略直交するとともに、前記メダルの主面を押し付け可能な面積を有する垂直面部と、
前記開口部の短辺と略同一の幅を有しており、前記開口部の下側の短辺に沿うように、前記垂直面部の下端に連続して形成された第１面部と、
複数のメダルを受けられる幅を有しており、前記第１面部を挟んで前記垂直面部と反対側となるように、該第１面部に連続して形成され、かつ、該第１面部側が高くなる傾斜を有する第２面部と、
を備えており、
前記第１面部及び第２面部が、前記開口部側が低くなる傾斜を有することを特徴とするメダルセレクタ用のメダル投入補助具。
【請求項３】
前記第２面部から前記垂直面部と反対側となるように、前記第２面部に連続して形成された第３面部と、
該第３面部の端に、上向きに突設されており、前記メダルの主面と係合する係合端部と、
を有することを特徴とする請求項１又は２記載のメダルセレクタ用のメダル投入補助具。
【請求項４】
メダルを投入するための略長方形状のメダル投入口が、正面に縦長に設けられたメダルセレクタを備えており、前記メダルを使用するメダルゲーム機であって、
請求項１記載のメダル投入補助具が、
前記垂直面部が前記メダル投入口の長辺の一方に沿い、かつ、前記第１面部が前記メダル投入口の下側の短辺に沿うように、前記メダルセレクタの正面に取り付けられたことを特徴とするメダルゲーム機。
【請求項５】
メダルを投入するための略長方形状のメダル投入口が、正面に縦長に設けられたメダルセレクタを備えており、前記メダルを使用するメダルゲーム機であって、
請求項２記載のメダル投入補助具が、
前記固定用プレートの前記開口部が、前記メダル投入口の位置と一致するように、前記メダルセレクタの正面に取り付けられたことを特徴とするメダルゲーム機。
【考案の詳細な説明】
【技術分野】
【０００１】
本考案は、ゲーム機等に取り付けられるメダルセレクタ用のメダル投入補助具及びメダルゲーム機に関し、更に具体的には、フロントタイプセレクタ用のメダル投入補助具及びメダルゲーム機に関するものである。
【背景技術】
【０００２】
メダルゲーム機などに使用されるメダルセレクタ（メダル識別装置）には、各種のタイプのものがあるが、そのうち、フロントパネルに縦長にメダル投入口が設けられているものは、いわゆるフロントタイプセレクタといわれている。このフロントタイプセレクタは、ゲーム機に設置しやすく、安価である反面、メダルの連続投入には不向きであり、一枚ずつメダルを投入しなければならないという課題がある。
【０００３】
一般に、メダルの連続投入が可能な製品はコストが高くなり、構造も複雑で、開発期間も長くなるという不都合がある。また、下記特許文献１に示すように、略水平面上の台座部に設けられた投入口からコイン（メダル）を垂直に落とす構造のものに関しては、メダルの投入を補助する技術が提案されているが、前記フロントタイプセレクタについては、メダルの投入を補助する技術は提案されていないのが現状である。
【先行技術文献】
【特許文献】
【０００４】
【特許文献１】特開２００３−３８７２１号公報
【考案の概要】
【考案が解決しようとする課題】
【０００５】
上述した通り、フロントタイプセレクタに関しては、既存の装置に構成上の変更を加えることなく、簡易な構成でメダルの連続投入を補助するための技術は提供されていない。
【０００６】
本考案は、以上のような点に着目したもので、フロントセレクタ式のメダルセレクタにおいて、既存の装置に構成上の変更を加えることなく、メダル投入口に、メダルを連続投入しやすくするメダルセレクタ用のメダル投入補助具を提供することを、その目的とする。他の目的は、前記メダル投入補助具を備えたメダルゲーム機を提供することである。
【課題を解決するための手段】
【０００７】
本考案のメダル投入補助具は、メダルを投入するための略長方形状のメダル投入口が、正面に縦長に設けられたメダルセレクタ用のメダル投入補助具であって、前記メダル投入口の長辺の一方に沿って設けられており、前記正面に対して略直交するとともに、前記メダルの主面を押し付け可能な面積を有する垂直面部と、前記メダル投入口の短辺と略同一の幅を有しており、前記メダル投入口の下側の短辺に沿うように、前記垂直面部の下端に連続して形成された第１面部と、複数のメダルを受けられる幅を有しており、前記第１面部を挟んで前記垂直面部と反対側となるように、該第１面部に連続して形成され、かつ、該第１面部側が高くなる傾斜を有する第２面部と、を備えており、前記第１面部及び第２面部が、前記メダル投入口側が低くなる傾斜を有することを特徴とする。
【０００８】
他の考案のメダル投入補助具は、メダルを投入するための略長方形状のメダル投入口が、正面に縦長に設けられたメダルセレクタ用のメダル投入補助具であって、前記メダル投入口と略同一形状及び寸法の略長方形状の開口部を有しており、該開口部が前記メダル投入口の位置と一致するように、前記メダルセレクタの正面に沿って固定される固定用プレートと、前記開口部の長辺の一方に沿って設けられており、前記固定用プレートに対して略直交するとともに、前記メダルの主面を押し付け可能な面積を有する垂直面部と、前記開口部の短辺と略同一の幅を有しており、前記開口部の下側の短辺に沿うように、前記垂直面部の下端に連続して形成された第１面部と、複数のメダルを受けられる幅を有しており、前記第１面部を挟んで前記垂直面部と反対側となるように、該第１面部に連続して形成され、かつ、該第１面部側が高くなる傾斜を有する第２面部と、を備えており、前記第１面部及び第２面部が、前記開口部側が低くなる傾斜を有することを特徴とする。
【０００９】
主要な形態の一つは、前記第２面部から前記垂直面部と反対側となるように、前記第２面部に連続して形成された第３面部と、該第３面部の端に、上向きに突設されており、前記メダルの主面と係合する係合端部と、を有することを特徴とする。
【００１０】
本考案のメダルゲーム機は、メダルを投入するための略長方形状のメダル投入口が、正面に縦長に設けられたメダルセレクタを備えており、前記メダルを使用するメダルゲーム機であって、請求項１記載のメダル投入補助具が、前記垂直面部が前記メダル投入口の長辺の一方に沿い、かつ、前記第１面部が前記メダル投入口の下側の短辺に沿うように、前記メダルセレクタの正面に取り付けられたことを特徴とする。
【００１１】
他の考案のメダルゲーム機は、メダルを投入するための略長方形状のメダル投入口が、正面に縦長に設けられたメダルセレクタを備えており、前記メダルを使用するメダルゲーム機であって、請求項２記載のメダル投入補助具が、前記固定用プレートの前記開口部が、前記メダル投入口の位置と一致するように、前記メダルセレクタの正面に取り付けられたことを特徴とする。本考案の前記及び他の目的，特徴，利点は、以下の詳細な説明及び添付図面から明瞭になろう。
【考案の効果】
【００１２】
本考案によれば、略長方形状のメダル投入口が正面に縦長に設けられたメダルセレクタに、前記メダル投入口の長辺の一方に沿って設けられた垂直面部と、該垂直面部の下端に連続し、かつ、前記メダル投入口の下側の短辺に沿って設けられた第１面部と、該第１面部側が高くなるように第１面部に連続形成された第２面部とを有するメダル投入補助具を取り付ける。第１面部及び第２面部は、メダル投入口側が低くなるように傾斜している。そして、複数重ねたメダルを垂直面部に押し当て、第１面部にメダルを待機させたのち、メダルを押した指を引くことで、第２面部の傾斜により、２枚目以降のメダルが、垂直面部と反対側に倒れ込む。これにより、第１面部上に待機しているメダルとの摩擦が少なくなり、第１面部上に待機しているメダルが、投入口側へ低くなった傾斜によってメダル投入口に流れていく。再度メダルを垂直面部へ押し付け、離すことを繰り返すことで、メダルの連続投入を容易に行うことができる。また、既存のメダルセレクタの構成を変えずに、メダル投入補助具の取り付けができるという効果がある。
【図面の簡単な説明】
【００１３】
【図１】本考案の実施例１を示す図であり、(A)はメダル投入補助具をメダルセレクタに取り付ける前の状態を示す外観斜視図，(B)はメダル投入補助具をメダルセレクタに取り付けた状態を示す外観斜視図，(C)は前記メダル投入補助具を裏面側から見た外観斜視図である。
【図２】前記実施例１のメダル投入補助具の作用を示す図である。
【考案を実施するための形態】
【００１４】
以下、本考案を実施するための最良の形態を、実施例に基づいて詳細に説明する。
【実施例１】
【００１５】
最初に、図１及び図２を参照しながら本考案の実施例１を説明する。図１(A)は、本実施例のメダル投入補助具をメダルセレクタに取り付ける前の状態を示す外観斜視図，(B)はメダル投入補助具をメダルセレクタに取り付けた状態を示す外観斜視図，(C)は前記メダル投入補助具を裏面側からみた外観斜視図である。図２は、本実施例のメダル投入補助具の作用を示す図である。
【００１６】
本考案のメダル投入補助具は、メダルゲーム等に用いられるメダルを投入するための略長方形のメダル投入口が、正面に縦長に設けられたメダルセレクタ（いわゆる「フロントタイプセレクタ」）用のメダル投入補助具である。図１(A)〜(C)に示すように、本実施例のメダル投入補助具３０は、メダルセレクタ１０の正面１２に設けられたフロントパネル１４に取り付けられるものである。前記メダルセレクタ１０は、図示しないメダルゲーム機の正面に、前記フロントパネル１４がくるようにメダルゲーム機に取り付けられている。前記フロントパネル１４には、上方にメダルＭの投入口１６が設けられ、その下方に、メダル返却用のレバー１８が設けられ、更にその下方に、メダル返却口２０が設けられた公知の構成となっている。前記メダル投入口１６は、略長方形状であって、一対の長辺１６Ａ，１６Ｂと、一対の短辺１６Ｃ，１６Ｄにより構成されている。これら長辺１６Ａ，１６Ｂ及び短辺１６Ｃ，１６Ｄの寸法は、例えば、メダルＭを一枚ずつ立てて投入できる程度に設定されている。
【００１７】
前記メダル投入補助具３０は、前記フロントパネル１４に固定するための固定用プレート３２と、該固定用プレート３２の正面側に膨出するように形成されたガイド部４０により構成されている。前記ガイド部４０は、前記固定用プレート３２に対して略直交する垂直面部４２と、該垂直面部４２に連続形成されたメダル待機部５０とからなる。
【００１８】
まず、前記固定用プレート３２は、略平面状であって、図示の例では、前記フロントパネル１４より若干大きい長方形のプレートの一部を、前記レバー１８及びメダル返却口２０が隠れないように切り欠いた略Ｌ字状となっている。該固定用プレート３２の上部略中央には、前記メダル投入口１６と略同一形状及び寸法の開口部３８が縦長に形成されている。すなわち、前記開口部３８は、一対の長辺３８Ａ，３８Ｂと、一対の短辺３８Ｃ，３８Ｄを有する略長方形状となっている。また、固定用プレート３２の角部（図示の例では３ヶ所）には開口部３４が形成されており、図１(B)に示すように、該開口部３４を貫通する固定具３６によって、前記フロントパネル１４に取付固定される。このとき、前記開口部３８が、前記メダル投入口１６の位置と一致するように、固定用プレート３２がフロントパネル１４に取り付けられる。
【００１９】
次に、前記ガイド部４０について説明する。該ガイド部４０は、前記固定用プレート３２の主面に対して膨出するように形成されており、垂直面部４２とメダル待機部５０により構成されている。前記垂直面部４２は、前記開口部３８の一方の長辺３８Ａに沿って設けられており、前記固定用プレート３２に対して略直交するとともに、前記メダルＭの主面を押し当てることが可能な面積を有している。ここで、メダルＭの主面を押し当て可能な面積とは、必ずしもメダルＭの直径よりも大きい幅や奥行を有することのみならず、メダルＭの主面の大部分を接触させることができる程度の面積を有する場合も含まれる。
【００２０】
前記メダル待機部５０は、本実施例では、第１面部５２と、第２面部５４と、第３面部５６と、係合端部５８とにより構成されている。前記第１面部５２は、前記開口部３８の下側の短辺３８Ｄと略同一の幅を有しており、前記短辺３８Ｄに沿うように、前記垂直面部４２の下端に連続して形成されている。前記第２面部５４は、複数のメダルＭを受けられる幅を有しており、前記第１面部５２を挟んで垂直面部４２と反対側となるように、前記第１面部５２に連続して形成されている。また、前記第２面部５４は、前記第１面部側が高くなる傾斜を有している。
【００２１】
前記第３面部５６は、前記第２面部５４から前記垂直面部４２と反対側となるように、前記第２面部５４に連続して形成されている。該第３面部５６と前記第１面部５２は、メダル待機部５０の幅方向には傾きはない。また、前記第３面部５６の端部には、係合端部５８が上向きに突設されている。該係合端部５８は、前記メダルＭの主面と係合し、メダルＭを押さえる指６０(図２参照)を離しても、メダルＭがメダル待機部５０から落下しないようにすることができる。以上のようなメダル待機部５０は、第１面部５２，第２面部５４，第３面部５６が、メダル待機部５０の奥行方向（メダルＭの投入方向）において、前記開口部３８に向けて低くなるように傾斜が設けられている。すなわち、固定用プレート３２側を奥側としたときのメダル待機部５０の縁部５０Ｂよりも、手前側の縁部５０Ａのほうが高く形成されている（図１(C)参照）。
【００２２】
次に、図２を参照しながら、本考案の作用を説明する。まず、図２(A)に示すように、複数枚重ねたメダルＭを、メダル待機部５０に乗せ、全体を、同図に矢印Ｆ２ａで示すように指６０で押し、一番端（図示の例では右端）のメダルＭを垂直面部４２に軽く押し当てる。すると、右端のメダルＭは、第１面部５２上に移動するが、隣のメダルＭとの摩擦及び垂直面部４２との摩擦があるため、開口部３８側への傾斜があっても、該開口部３８側への移動は生じない。次に、メダルＭを押した指６０を、図２(B)に矢印Ｆ２ｂで示す方向に引くことで、第２面部５４の幅方向への傾斜により、２枚目以降のメダルＭが、垂直面部４２と反対側に倒れ込む。これにより、前記第１面部５２上に待機しているメダルＭとの摩擦が少なくなり、該第１面部５２上に待機しているメダルＭが、開口部３８側へ低くなった傾斜によって、該開口部３８を通り、メダルセレクタ１０のメダル投入口１６に流れていく。再度、メダルＭを図２(A)に示すように垂直面部４２へ押し付け、図２(B)に示すように離すことを繰り返すことで、複数のメダルＭの連続投入を容易に行うことができる。
【００２３】
このように、本実施例によれば、簡単な構成のメダル投入補助具３０を、メダルセレクタ１０に取り付けることにより、誰でも簡単にメダルＭの連続投入が可能となるという効果がある。また、既存のメダルセレクタ１０の設計を変更せずに、後付けで、メダル投入補助具３０の取り付けができるため、設計変更等に伴う開発期間やコストの削減が可能である。なお、本実施例のメダル投入補助具３０を取り付けたメダルセレクタ１０と、取り付けないメダルセレクタを比較すると、本実施例では、同時間で２倍以上のメダル投入が可能になるため、ゲーム機を設置する店舗側においては、売り上げの向上も図ることができる。
【００２４】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法，材料は一例であり、必要に応じて適宜変更してよい。
(2)前記実施例では、固定用プレート３２に設けた開口部３８を介して、メダルセレクタ１０のメダル投入口１６にメダルＭを投入することとしたが、これも一例であり、上述した垂直面部４２と、第１面部５２と、第２面部５４とを少なくとも有するガイドを、前記垂直面部４２が、メダル投入口１６の長辺１６Ａに沿うように固定する構造としても、前記実施例１と同様の効果が得られる。
(3)前記実施例では、メダルＭを一枚ずつ開口部３８及びメダル投入口１６に投入することとしたが、これも一例であり、２枚ずつ投入することを妨げるものではない。
(4)前記実施例では、メダルの投入を例に挙げて説明したが、本考案を、メダル状のもの、例えば、コイン等の投入を補助するために用いることを妨げるものではない。
【産業上の利用可能性】
【００２５】
本考案によれば、略長方形状のメダル投入口が正面に縦長に設けられたメダルセレクタに、前記メダル投入口の長辺の一方に沿って設けられた垂直面部と、該垂直面部の下端に連続し、かつ、前記メダル投入口の下側の短辺に沿って設けられた第１面部と、該第１面部側が高くなるように第１面部に連続形成された第２面部とを有するメダル投入補助具を取り付ける。第１面部及び第２面部は、メダル投入口側が低くなるように傾斜している。そして、複数重ねたメダルを垂直面部に押し当て、第１面部にメダルを待機させたのち、メダルを押した指を引くことで、第２面部の傾斜により、２枚目以降のメダルが、垂直面部と反対側に倒れ込む。これにより、第１面部上に待機しているメダルとの摩擦が少なくなり、第１面部上に待機しているメダルが、投入口側へ低くなった傾斜によってメダル投入口に流れていく。再度メダルを垂直面部へ押し付け、離すことを繰り返すことで、メダルの連続投入を容易に行うことができる。このため、フロントタイプセレクタ用のメダル投入補助具の用途に適用できる。特に、既存のメダルセレクタの構造を変える必要がないため、後付用のメダル投入補助具の用途に好適である。
【符号の説明】
【００２６】
１０：メダルセレクタ
１２：正面
１４：フロントパネル
１６：メダル投入口
１６Ａ，１６Ｂ：長辺
１６Ｃ，１６Ｄ：短辺
１８：レバー
２０：メダル返却口
３０：メダル投入補助具
３２：固定用プレート
３４：開口部
３６：固定具
３８：開口部
３８Ａ，３８Ｂ：長辺
３８Ｃ，３８Ｄ：短辺
４０：ガイド部
４２：垂直面部
５０：メダル待機部
５０Ａ，５０Ｂ：縁部
５２：第１面部
５４：第２面部
５６：第３面部
５８：係合端部
６０：指
Ｍ：メダル
【図１】
0003191182.tif 000003
【図２】
0003191182.tif 000004